(57)【要約】      （修正有）【課題】宝飾体を取り外して宝飾体全体を隅々まで視認して色や輝きを十分に楽しめて、また、宝飾体本来の美しさが損なわれないよう加工を施すことなく宝飾体を保持できるようにする宝飾体保持具を提供する。【解決手段】宝飾体保持具１は宝飾体３０を保持する。宝飾体保持具は宝飾体の最大寸法部よりも周回寸法が小さい第１の係止部、第２の係止部をそれぞれ備えた第１の係止保持部１０および第２の係止保持部２０を有する。第１、第２の係止保持部は、互いに回動可能で、かつ第１、第２の係止部が対向可能となるように連結され、第１、第２の係止部が宝飾体の最大寸法部よりも外側に係止することによって、第１、第２の係止保持部が宝飾体を保持する。【選択図】図１
0003232905.tif 000002
【実用新案登録請求の範囲】
【請求項１】
多面体または球体形状を有する宝石、真珠等の宝飾体を保持する宝飾体保持具であって、
前記宝飾体の最も大きな外形寸法を有する最大寸法部よりも周回寸法が小さい第１の係止部、第２の係止部をそれぞれ備えた第１の係止保持部および第２の係止保持部を有し、
該第１、第２の係止保持部は、互いに回動可能で、かつ前記第１、第２の係止部が対向可能となるように連結され、
前記第１、第２の係止部が前記宝飾体の前記最大寸法部よりも外側に係止することによって、前記第１、第２の係止保持部が前記宝飾体を保持する宝飾体保持具。
【請求項２】
前記第１、第２の係止保持部は、それぞれ第１の貫通孔が形成された第１の孔開き凸部、第２の貫通孔が形成された第２の孔開き凸部を有し、
前記第１、第２の係止部が対向しているときに前記第１、第２の貫通孔が連通するように、前記第１、第２の孔開き凸部が形成されている請求項１記載の宝飾体保持具。
【請求項３】
前記第１の孔開き凸部は、外側に張り出す張出突起を有し、
前記第２の孔開き凸部は、それぞれ第３、第４の貫通孔が形成された第３、第４の孔開き凸部が、該第３、第４の貫通孔によって前記第２の貫通孔が形成されるように、並べて配置され、かつ該第３、第４の孔開き凸部の配置間隔が前記第１の孔開き凸部に応じた大きさに形成されている二枚凸部構造を有し、
前記第１、第２の係止部が対向しているときに前記第１の孔開き凸部が前記第３の孔開き凸部と前記第４の孔開き凸部との間に嵌まり込んで前記第１の孔開き凸部が前記第２の孔開き凸部に係合する請求項２記載の宝飾体保持具。
【請求項４】
前記第１の係止保持部および第２の係止保持部のいずれか少なくとも一方に、前記宝飾体に接する副保持部が形成されている請求項１〜３のいずれか一項記載の宝飾体保持具。
【考案の詳細な説明】
【技術分野】
【０００１】
本考案は、多面体または球体形状を有する宝石、真珠等の宝飾体を保持する宝飾体保持具に関する。
【背景技術】
【０００２】
従来、水晶、ダイヤモンド等からなる多面体形状を有する宝石や、球体形状を有する真珠といった宝飾体を保持する保持具が知られている。例えば、宝石を保持する環状構造の台座と台座に固定された複数の爪とを有し、その台座と爪で宝石を支持する構造の保持具（例えば、特許文献１参照）や、お椀状の台座と、上爪、下爪とを有し、その台座と上爪、下爪とで宝石を支持する構造の保持具（例えば、特許文献２参照）、さらには、宝石のガードル径よりも小さい内径を有する保持部材に複数の爪部が形成されている細線体保持具（例えば、特許文献３参照）が知られている。また、宝石に貫通孔が形成され、その貫通孔に挿通される挿通部材と、宝石を挟持する湾曲部を備えたＵ字状保持部材とを有する保持具（例えば、特許文献４参照）も知られている。
【先行技術文献】
【特許文献】
【０００３】
【特許文献１】特開２０１３−１６２８０９号公報
【特許文献２】特許第５１６２７００号公報
【特許文献３】特開２００５−２６１８６２号公報
【特許文献４】特開２０１１−１７７４３４号公報
【考案の概要】
【考案が解決しようとする課題】
【０００４】
ところで、ペンダントやネックレスといった装飾品が宝飾体を備えている場合、その宝飾体を保持する保持具（例えば、前述した特許文献１〜４に開示されている保持具）が用いられる。また、金具が宝飾体に接着等して固定され、その金具にチェーンが挿通されるなどして装飾品が形成されることもある。
【０００５】
しかしながら、装飾品が宝飾体を備えているのは、その宝飾体そのもの自体の色や輝きが美しい、とりわけ多面体であれば、そのカット面が美しい輝きを放つといった際立った特徴を有するからなのであるが、従来の保持具では、その宝飾体の特徴を十分に楽しむことができなかった。
【０００６】
すなわち、従来の保持具は、宝飾体が台座部や爪部によって抑え込まれて保持具と物理的に一体化されているため、宝飾体を保持具から取り外してその全体の輝きを隅々まで自らの目で見たい、といった要望には応えることができなかった。また、装飾品によっては、貫通孔が形成される、金具が接着等して固定されるといった加工が宝飾体に施されていることもある。このような場合、宝飾体そのもの自体に加工が施されたことにより、宝飾体本来の美しさが損なわれてしまうといった課題もある。
【０００７】
本考案は、上記課題を解決するためになされたもので、宝飾体保持具において、宝飾体を取り外して宝飾体全体を隅々まで視認して色や輝きを十分に楽しめて、また、宝飾体本来の美しさが損なわれないよう加工を施すことなく宝飾体を保持できるようにすることを目的とする。
【課題を解決するための手段】
【０００８】
上記課題を解決するため、本考案は、多面体または球体形状を有する宝石、真珠等の宝飾体を保持する宝飾体保持具であって、宝飾体の最も大きな外形寸法を有する最大寸法部よりも周回寸法が小さい第１の係止部、第２の係止部をそれぞれ備えた第１の係止保持部および第２の係止保持部を有し、その第１、第２の係止保持部は、互いに回動可能で、かつ第１、第２の係止部が対向可能となるように連結され、第１、第２の係止部が宝飾体の最大寸法部よりも外側に係止することによって、第１、第２の係止保持部が宝飾体を保持する宝飾体保持具を特徴とする。
【０００９】
上記宝飾体の保持具において、第１、第２の係止保持部は、それぞれ第１の貫通孔が形成された第１の孔開き凸部、第２の貫通孔が形成された第２の孔開き凸部を有し、第１、第２の係止部が対向しているときに第１、第２の貫通孔が連通するように、第１、第２の孔開き凸部が形成されていることが好ましい。
【００１０】
また、孔開き凸部は、外側に張り出す張出突起を有し、第２の孔開き凸部は、それぞれ第３、第４の貫通孔が形成された第３、第４の孔開き凸部が、その第３、第４の貫通孔によって第２の貫通孔が形成されるように、並べて配置され、かつその第３、第４の孔開き凸部の配置間隔が第１の孔開き凸部に応じた大きさに形成されている二枚凸部構造を有し、第１、第２の係止部が対向しているときに第１の孔開き凸部が第３の孔開き凸部と第４の孔開き凸部との間に嵌まり込んで第１の孔開き凸部が第２の孔開き凸部に係合することが好ましい。
【００１１】
さらに、第１の係止保持部および第２の係止保持部のいずれか少なくとも一方に、宝飾体に接する副保持部が形成されていることが好ましい。
【考案の効果】
【００１２】
以上詳述したように、本考案によれば、宝飾体保持具において、宝飾体を取り外して宝飾体全体を隅々まで視認して色や輝きを十分に楽しめて、また、宝飾体本来の美しさが損なわれないよう加工を施すことなく宝飾体を保持できるようにすることができる。
【図面の簡単な説明】
【００１３】
【図１】本考案の実施の形態に係る宝飾体保持具の宝飾体保持状態を示す斜視図である。
【図２】同じく、宝飾体保持具の第１、第２の係止保持部が開放された状態を示す斜視図である。
【図３】同じく、宝飾体保持具の第１、第２の係止保持部が閉鎖されている状態を示す側面図である。
【図４】図３の４−４線断面図である。
【図５】第１の孔開き凸部が第２の孔開き凸部に係合する前の第１、第２の係止保持部の一部省略した平面図である。
【図６】第１、第２の係止保持部が開放された状態の宝飾体保持具において、第１の係止保持部に宝飾体が保持されている状態を示した側面図である。
【考案を実施するための形態】
【００１４】
以下、本考案の実施の形態について図面を参照しつつ説明する。なお、同一要素には同一符号を用い、重複する説明は省略する。
【００１５】
図１から図６を参照して、本考案の実施の形態に係る宝飾体保持具１について説明する。ここで、図１は、本考案の実施の形態に係る宝飾体保持具１の宝飾体３０を保持している状態を示す斜視図である。図２は、宝飾体保持具１の第１、第２の係止保持部１０，２０が開放された状態を示す斜視図である。図３は、宝飾体保持具１の第１、第２の係止保持部１０，２０が閉鎖されている状態を示す側面図である。図４は、図３の４−４線断面図である。図５は、第１の孔開き凸部１２が第２の孔開き凸部２２に係合する前の第１、第２の係止保持部１０，２０の一部省略した平面図である。図６は、第１、第２の係止保持部１０，２０が開放された状態の宝飾体保持具１において、第１の係止保持部１０に宝飾体３０が保持されている状態を示した側面図である。
【００１６】
図１、図２に示すように、宝飾体保持具１は、第１の係止保持部１０と、第２の係止保持部２０とを有している。宝飾体保持具１は、宝飾体３０を保持する保持具であって、その第１、第２の係止保持部１０，２０がその宝飾体３０の外形寸法に概ね適合する構造（詳しくは後述するが、第１、第２の係止保持部１０，２０の第１、第２の係止部１１ｃ、１２ｃの周回寸法が宝飾体３０の最大寸法部３０Ａよりも小さい）を有している。宝飾体保持具１は、18金、24金、プラチナなどの貴金属や、ニッケル素材の表面全体に金メッキが施されたメッキ素材が用いられている。
【００１７】
宝飾体３０は、多面体または球体形状を有する宝石、真珠等である。本実施の形態では、宝飾体３０として、水晶からなる桔梗カットと呼ばれる１８０面の多面体が用いられている。宝飾体３０は、水晶以外の宝石（例えば、ダイヤモンド）や、ガラス、プラスチックを用いた宝飾性を有する多面体が用いられてもよいし、桔梗カットとは異なる多面体でも良い。また、宝飾体３０として、真珠のような球体（または概ね球体の形状）が用いられてもよい。
【００１８】
第１の係止保持部１０、第２の係止保持部２０は、第１、第２の保持部１１，２１と、第１、第２の孔開き凸部１２，２２と、ヒンジ部１４，２４とを有している。
【００１９】
第１の係止保持部１０、第２の係止保持部２０は、それぞれヒンジ部１４，２４によって、互いに回動可能で、かつ後述する第１、第２の係止部１１ｃ、２１ｃが図４のようにして、対向可能となるように連結されている。
【００２０】
第１の係止保持部１０、第２の係止保持部２０は、第１、第２の保持部１１，２１が重なり合う（閉鎖状態となる）方向、その反対の第１、第２の保持部１１，２１がほぼ水平に並ぶ図２のような開放状態になる方向に互いに回動可能である。第１、第２の係止保持部１０，２０は、第１、第２の保持部１１，２１が重なり合うときに閉鎖状態になり、その状態で宝飾体３０が保持される。
【００２１】
第１、第２の保持部１１，２１は、それぞれ円形、概ね円形、楕円形等の環状構造を有する部材である。図示の第１、第２の保持部１１，２１は、円環状の部材であるが、円形以外の形状、例えば、概ね円形、楕円形、多角形の環状に形成されている部材でもよい。また、第１、第２の保持部１１，２１として、例えば、円形部分の一部に切り込み等が形成された欠落部分のある概ねＣ字状の部材でもよい。第１、第２の保持部１１，２１は、図示のような欠落部分の無い環状構造を有する部材はもちろん、概ねＣ字状の部材のような欠落部分のある概ね環状の構造を有する部材も含まれる。
【００２２】
そして、第１、第２の保持部１１，２１は、それぞれの一部に第１、第２の孔開き凸部１２，２２が形成され、その第１、第２の孔開き凸部１２，２２と対向する位置にそれぞれヒンジ部１４，２４が形成されている。そのヒンジ部１４，２４それぞれの図示しない軸部が嵌合されていることで、第１、第２の係止保持部１０，２０が回動可能に連結されている。
【００２３】
また、第１、第２の保持部１１，２１は、図４に示すように、それぞれリング体１１ａ，２１ａと、その第１、第２のリング体１１ａ，２１ａの内側に張り出す連続した幅狭ドーナツ状の第１、第２の係止部１１ｃ，２１ｃとを有している。そして、図４に示すように、第１、第２のリング体１１ａ，２１ａそれぞれの第１、第２の環状面部１１ｂ，２１ｂが接する状態で、第１、第２の保持部１１，２１が閉鎖状態となり、そのときに、第１、第２の係止部１１ｃ，２１ｃが対向する。
【００２４】
第１、第２の係止部１１ｃ，２１ｃは、宝飾体３０の最大寸法部３０Ａ（宝飾体３０のうちの最も大きな外形寸法を有する部分）よりも周回寸法が小さい大きさに形成されている。図６に示すように、第１の保持部１１に宝飾体３０が嵌め合わされたとき、宝飾体３０の最大寸法部３０Ａよりも外側の位置（周回寸法が最大寸法部３０Ａよりも小さい位置で、第１の係止部１１ｃが接する保持部３０ａ）に、第１の係止部１１ｃが接触することで係止する。また、その状態で第１、第２の保持部１１，２１が閉鎖状態になると、最大寸法部３０Ａよりも外側の保持部３０ｂに、第２の係止部２１ｃが接触することで係止する。
【００２５】
第１、第２の係止部１１ｃ，２１ｃがそれぞれ宝飾体３０の保持部３０ａ、３０ｂに以上のようにして係止することによって、第１、第２の係止保持部１０，２０が宝飾体３０を保持する。
【００２６】
そして、図２に示すように、第１の孔開き凸部１２は第１の貫通孔１２ａが形成されている部材であって、第１の貫通孔１２ａを取り囲む環状構造を有している。第１の孔開き凸部１２は、第１の貫通孔１２ａを貫く方向が第１の保持部１１によって囲まれるリング面１１ｄと交差するように形成されている。また、第１の孔開き凸部１２は、外側に張り出す張出突起１２ｂを有している。
【００２７】
第２の孔開き凸部２２は、第３，第４の孔開き凸部２２ａ、２２ｂを備えた二枚凸部構造を有している。第３，第４の孔開き凸部２２ａ、２２ｂはそれぞれ第３、第４の貫通孔２２ｄ，２２ｅが形成されている部材であって、それらをそれぞれ取り囲む環状構造を有している。第３，第４の孔開き凸部２２ａ、２２ｂは図２に示すように、第３、第４の貫通孔２２ｄ，２２ｅを貫く方向が第２の保持部２１によって囲まれるリング面２１ｄと交差するように並べて配置されていて、そのそれぞれの第３、第４の貫通孔２２ｄ，２２ｅによって、１本につながった貫通孔（本発明における第２の貫通孔）が形成されている。
【００２８】
また、第３，第４の孔開き凸部２２ａ、２２ｂの配置間隔が第１の孔開き凸部１２の大きさ（第１の貫通孔１２ａを貫く方向の厚さ）に応じた大きさに形成されている。そのため、図５に示すように、第３，第４の孔開き凸部２２ａ、２２ｂの間の係合溝２２ｃが第１の孔開き凸部１２の大きさに応じた大きさに形成されている。すると、第１、第２の保持部１１，２１が閉鎖状態になるときに、その係合溝２２ｃに第１の孔開き凸部１２が嵌まり込んで、第１の孔開き凸部１２が第２の孔開き凸部２２に係合し、第１の貫通孔１２ａ、第３、第４の貫通孔２２ｄ，２２ｅが連通して１本の貫通孔が形成される。また、第１、第２の孔開き凸部１２，２２の摩擦によって、第１、第２の孔開き凸部１２，２２の係合状態が維持される。
【００２９】
さらに、図３に示すように、第１の係止保持部１０の第１の保持部１１には副保持部１３が形成されている。副保持部１３は、宝飾体３０が第１の保持部１１に保持されているときに、その外表面に接するように、外側に向けて湾曲状に張り出して形成されている。図１、図２に示すように、副保持部１３は、デザイン性が施された"Ｖ"字形状を有している。
【００３０】
以上のような宝飾体保持具１は、第１の係止保持部１０、第２の係止保持部２０のいずれか一方、例えば、図６に示すように、第１の係止保持部１０の第１の保持部１１によって、宝飾体３０を保持することができる。これは、第１の係止部１１ｃの周回寸法が最大寸法部３０Ａよりも小さいために、第１の係止部１１ｃが宝飾体３０の保持部３０ａに接触して係止するからである。
【００３１】
そして、第２の係止保持部２０を第１、第２の保持部１１，２１が重なり合う方向に（ヒンジ部１４，２４を軸にして）回動させて、第１、第２の保持部１１，２１を重なり合わせて、第１、第２の係止保持部１０，２０を閉鎖状態とする。すると、第１、第２の係止保持部１０，２０によって、宝飾体３０が保持される状態が得られる。このとき、第３，第４の孔開き凸部２２ａ、２２ｂの間に係合溝２２ｃが形成されているため、第１の孔開き凸部１２が第２の孔開き凸部２２に係合し、第１、第２の孔開き凸部１２，２２の摩擦によって、その係合状態が維持される。こうして、宝飾体保持具１によって、宝飾体３０を保持することができる。
【００３２】
また、そのようにして、宝飾体３０を保持している宝飾体保持具１において、第１、第２の孔開き凸部１２，２２に１本につながった貫通孔が形成されるから、図１に示すように、その貫通孔に宝飾性を有するチェーン３３を挿通することができる。そうすることによって、宝飾体保持具１を有するネックレスが得られる。
【００３３】
宝飾体保持具１は、宝飾体３０を保持できる一方で、チェーン３３を外してから張出突起１２ｂを指でつまむなどして動かして、第１、第２の孔開き凸部１２，２２の係合状態を解除することができる。このとき、張出突起１２ｂが無いと、図１に示すように、第１、第２の孔開き凸部１２，２２が重なりあった部分から第１の孔開き凸部１２だけを動かすのにとても手間がかかるが、張出突起１２ｂが形成されていることで、第１の孔開き凸部１２だけを指でつまむなどして動かすことが容易であり、それ故、第１、第２の孔開き凸部１２，２２の係合状態の解除が容易である。
【００３４】
それから、第１、第２の係止保持部１０，２０のいずれか一方を回動させて、図２のような開放状態にすることができる。そうすれば、宝飾体３０を宝飾体保持具１から取り外すことができる。
【００３５】
したがって、宝飾体保持具１では、宝飾体３０を取り外して宝飾体３０の全体を隅々まで視認して色や輝きを十分に楽しめることができる。しかも、その宝飾体３０には、何ら加工が施されていないので、宝飾体３０本来の美しさが一切損なわれることがなく、その状態のまま、宝飾体３０が宝飾体保持具１によって保持される。
【００３６】
以上の実施形態では、第１、第２の保持部１１，２１が第１、第２の係止部１１ｃ、２１ｃを有する場合を例にとって説明しているが、第１、第２の係止部１１ｃ、２１ｃのような連続した幅狭ドーナツ状ではなく、断続的な係止部（図示せず）が形成されていてもよい。また、第２の孔開き凸部２２が二枚凸部構造を有しているが、第２の孔開き凸部２２が第１の孔開き凸部１２のような単独凸部構造でもよい（図示せず）。その場合、第１、第２の保持部１１，２１が閉鎖状態になったときに、第１、第２の孔開き凸部１２、２２が接面状態で係合すればよい。第１、第２の孔開き凸部１２、２２が形成されていなくてもよく、別構造で第１、第２の保持部１１，２１の閉鎖状態が維持できるようにしてもよい。さらに、副保持部１３が形成されていなくても、宝飾体３０を保持できるので、副保持部１３を有しない構造とすることもできる。
【００３７】
以上の説明は、本考案の実施の形態についての説明であって、この考案の装置及び方法を限定するものではなく、様々な変形例を容易に実施することができる。又、各実施形態における構成要素、機能、特徴あるいは方法ステップを適宜組み合わせて構成される装置又は方法も本考案に含まれるものである。
【産業上の利用可能性】
【００３８】
本考案を適用することにより、宝飾体を取り外して宝飾体全体を隅々まで視認して色や輝きを十分に楽しめて、宝飾体本来の美しさが損なわれないよう、加工を施すことなく宝飾体を保持できるようにすることができる。本考案は、宝飾体保持具の分野で利用することができる。
【符号の説明】
【００３９】
１…宝飾体保持具、１０…第１の係止保持部、１１…第１の保持部、１２…第１の孔開き凸部、１３…副保持部、１４，２４…ヒンジ部、２０…第２の係止保持部、２１…第２の保持部、２２…第２の孔開き凸部、１１ｃ…第１の係止部、１２ｂ…張出突起、２１ｃ…第２の係止部、２２ａ、２２ｂ…第３，第４の孔開き凸部、３０…宝飾体、３０Ａ…最大寸法部、３０ａ、３０ｂ…保持部。
【図１】
0003232905.tif 000003
【図２】
0003232905.tif 000004
【図３】
0003232905.tif 000005
【図４】
0003232905.tif 000006
【図５】
0003232905.tif 000007
【図６】
0003232905.tif 000008